(57)【要約】【課題】運転待機中の待機電力を低減した給湯装置Ａの提供。【解決手段】給湯装置Ａは、運転待機時において、外気温センサ８２により検出される外気温度が所定温度を越える場合、給水温度センサ８３により検出される給水温度が所定温度を越える場合、または、湯量センサ８４により検出される湯量が所定量を越える場合には、常時通電されているタンク側ＥＣＵ８がリレー７１への通電を停止して、ヒートポンプサイクル側ＥＣＵ７およびインバータ１１への電力供給を停止させる。【選択図】        図１
2004198044.tif 000002
【特許請求の範囲】
【請求項１】
冷媒を圧縮するコンプレッサ、冷媒水熱交換器の冷媒流路、膨張弁、および空気熱交換器を冷媒配管を介して環状に接続してなるヒートポンプサイクルと、
給湯用の温水を貯える貯湯タンクと前記冷媒水熱交換器の湯水流路とを湯水配管で接続し、途中に循環ポンプを介設した湯水回路と、
前記コンプレッサを駆動するためのコンプレッサ駆動回路と、
接続した各種センサからのセンサ出力に基づいて、前記膨張弁、前記循環ポンプ、および前記コンプレッサ駆動回路を制御し、目標沸き上げ温度の前記温水を貯湯タンク内に貯湯する沸き上げ運転を行うヒートポンプサイクル側制御器と、
該ヒートポンプサイクル側制御器および前記コンプレッサ駆動回路への作動用電力の供給・遮断を行う通電制御器と、
タンクユニット側に配されるとともに、作動用電力が常時供給されて前記ヒートポンプサイクル側制御器と通信を行うタンク側制御器とを備え、
前記ヒートポンプサイクル、前記コンプレッサ駆動回路、および前記ヒートポンプサイクル側制御器をヒートポンプユニット側に配してなる給湯装置であって、
運転待機時には、前記タンク側制御器が、前記タンクユニット側のタンク状況に基づいて前記通電制御器を制御することを特徴とする給湯装置。
【請求項２】
前記タンク側制御器は、運転待機時において、前記タンク側制御器に接続した外気温センサにより検出される外気温度が所定温度を越える場合、または、前記貯湯タンクの給水側の温水温度を検出する給水温度センサにより検出される給水温度が所定温度を越える場合、または、給湯時に前記貯湯タンクの給水側の温水温度を検出する給水温度センサが検出する給水温度を積算して平均した平均給水温度が所定温度を越える場合には、前記通電制御器に前記作動用電力の遮断を指示することを特徴とする請求項１に記載の給湯装置。
【請求項３】
外気温センサが前記ヒートポンプサイクル側制御器に接続され、沸き上げ運転の開始から設定時間経過後に検出される外気温度をタンク側制御器のメモリに記憶させておき、
前記メモリに記憶させた外気温度が所定温度を越える場合には、前記作動用電力の遮断を運転待機時に前記タンク側制御器が前記通電制御器に指示することを特徴とする請求項１に記載の給湯装置。
【請求項４】
外気温センサが前記ヒートポンプサイクル側制御器に接続され、沸き上げ運転の終了から所定時間経過後の運転待機時に作動用電力を一時的に供給する様に前記タンク側制御器が前記通電制御器に指示し、
前記作動用電力の一時的な供給時に検出される外気温度が所定温度を越える場合には、前記作動用電力の遮断を前記タンク側制御器が前記通電制御器に指示することを特徴とする請求項１に記載の給湯装置。
【請求項５】
沸き上げ運転終了時の前記目標沸き上げ温度が高い程、前記所定時間の長さを長くすることを特徴とする請求項４に記載の給湯装置。
【発明の詳細な説明】
【０００１】
【発明の属する技術分野】
本発明は、ヒートポンプ式の給湯装置に関する。
【０００２】
【従来の技術】
特許文献１に記載のヒートポンプ式の給湯装置は、冷媒圧縮機、冷媒水熱交換器の冷媒流路、膨張弁、および空気熱交換器を環状に接続してなるヒートポンプサイクルと、貯湯タンクと冷媒水熱交換器の温水流路とを温水配管で接続し、途中に循環ポンプを介設した温水回路と、前記冷媒圧縮機、前記膨張弁、および前記循環ポンプを制御する制御器とを備え、湯水の沸き上げ温度が目標沸き上げ温度になる様に、貯湯タンク内に温水を貯湯する沸き上げ運転を行っている。
【０００３】
【特許文献１】
特開平２００２- ２０６８０５号公報  （第１０頁〜第１１頁、図６）
【０００４】
【発明が解決しようとする課題】
上記従来の給湯装置は、以下の課題を有する。
運転待機中（沸き上げ運転の終了後）においては、制御器や、冷媒圧縮機を駆動するためのインバータに作動用電力が供給されているので、電力（約９Ｗ）を消費している。
【０００５】
また、使用者が、リモコンで給湯装置を運転休止状態にした場合でも、制御器や、冷媒圧縮機を駆動するためのインバータには作動用電力が供給されているので、電力（約９Ｗ）を消費し続ける。
この待機電力は、約９Ｗと大きくは無いが、旅行等で給湯装置を使用しない期間が数週間となった場合には、かなりの電力が無駄に消費される。
【０００６】
本発明の目的は、運転待機中の待機電力を低減した給湯装置の提供にある。
【０００７】
【課題を解決するための手段】
〔請求項１について〕
ヒートポンプサイクルは、冷媒を圧縮するコンプレッサ、冷媒水熱交換器の冷媒流路、膨張弁、および空気熱交換器を環状に接続してなる。なお、コンプレッサは、コンプレッサ駆動回路を介して駆動される。
また、ヒートポンプサイクル、コンプレッサ駆動回路、およびヒートポンプサイクル側制御器をヒートポンプユニット側に配している。
【０００８】
湯水回路は、給湯用の温水を貯える貯湯タンクと冷媒水熱交換器の湯水流路とを湯水配管で接続し、途中に循環ポンプを介設している。なお、通電の関係上、循環ポンプをヒートポンプユニット側に配設するのが好ましい。
【０００９】
ヒートポンプサイクル側制御器は、接続した各種センサからのセンサ出力に基づいて、膨張弁、循環ポンプ、およびコンプレッサ駆動回路を制御し、目標沸き上げ温度の温水を貯湯タンク内に貯湯する沸き上げ運転を行う。
【００１０】
なお、通電制御器がヒートポンプサイクル側制御器等へ作動用電力を供給している間は、タンクユニット側に配されるタンク側制御器とヒートポンプサイクル側制御器との間で通信が可能である。
【００１１】
沸き上げ運転が完了した運転待機時において、タンクユニット側のタンク状況から判断して、沸き上げ運転等を行う必要が無い場合には、タンク側制御器が通電制御器に、ヒートポンプサイクル側制御器およびコンプレッサ駆動回路への作動用電力の遮断を指示する。
【００１２】
これにより、沸き上げ運転等を行う必要が無い場合には、ヒートポンプサイクル側制御器およびコンプレッサ駆動回路が消費する電力をカットできるので、運転待機中の待機電力を低減することができる。
【００１３】
〔請求項２について〕
タンク側制御器は、運転待機時において、下記の場合には、ヒートポンプサイクル側制御器およびコンプレッサ駆動回路への作動用電力の遮断を通電制御器に指示する。
【００１４】
・タンク側制御器に接続した外気温センサにより検出される外気温度が所定温度を越える（凍結防止運転を行う必要がない）場合。
・貯湯タンクの給水側の温水温度を検出する給水温度センサにより検出される給水温度が設定温度を越える（沸き上げ運転を行う必要がない）場合。
・給湯時に貯湯タンクの給水側の温水温度を検出する給水温度センサが検出する給水温度を積算して平均した平均給水温度が設定値を越える（沸き上げ運転を行う必要がない）場合。
【００１５】
これにより、沸き上げ運転等を行う必要が無い場合には、ヒートポンプサイクル側制御器およびコンプレッサ駆動回路が運転待機時に消費する電力をカットできるので、待機電力を低減することができる。
【００１６】
〔請求項３について〕
給湯装置は、外気温センサをヒートポンプサイクル側制御器に接続しているので、通電制御器が作動用電力を遮断すると、タンクユニット側に配されるタンク側制御器とヒートポンプサイクル側制御器との間で通信が行えなくなり、外気温度のデータをタンク側制御器へ送れなくなる。
【００１７】
そこで、沸き上げ運転の開始から設定時間経過後の沸き上げ運転中に検出される外気温度のデータを、通信によりタンク側制御器へ送り、タンク側制御器のメモリに記憶させておく。なお、安定した温度挙動を得るため、沸き上げ運転の開始から設定時間経過後に検出される外気温度を用いる。
【００１８】
タンク側制御器は、メモリに記憶させた外気温度が所定温度を越える場合には、沸き上げ運転が完了して運転待機時に移行した際に、ヒートポンプサイクル側制御器およびコンプレッサ駆動回路への作動用電力の遮断を通電制御器に指示する。
【００１９】
これにより、凍結防止運転を行う必要がない場合には、ヒートポンプサイクル側制御器およびコンプレッサ駆動回路が運転待機時に消費する電力をカットでき、待機電力を低減することができる。
【００２０】
〔請求項４について〕
給湯装置は、外気温センサをヒートポンプサイクル側制御器に接続しているので、通電制御器が作動用電力を遮断すると、タンクユニット側に配されるタンク側制御器とヒートポンプサイクル側制御器との間で通信が行えなくなり、外気温度のデータをタンク側制御器へ送れなくなる。
【００２１】
そこで、沸き上げ運転の終了から所定時間経過後の運転待機時に作動用電力を一時的に供給する様にタンク側制御器が通電制御器に指示する。
これにより、ヒートポンプサイクル側制御器に一時的に作動用電力が供給され、外気温度のデータをタンク側制御器へ送ることができる。
【００２２】
そして、この際に検出される外気温度が所定温度を越える場合には、作動用電力の遮断をタンク側制御器が通電制御器に指示する。
これにより、凍結防止運転を行う必要がない場合には、ヒートポンプサイクル側制御器およびコンプレッサ駆動回路が運転待機時に消費する電力をカットでき、待機電力を低減することができる。
【００２３】
〔請求項５について〕
沸き上げ運転終了時の目標沸き上げ温度が高い程、湯水回路内の湯水温度が高くなる。このため、外気温度が仮に低くても、長い時間、凍結の虞がないので、沸き上げ運転の終了から、一時的に作動用電力の供給を通電制御器に指示する迄の所定時間の長さを長くして、外気温度を検出する迄の時間を長くする。
これにより、ヒートポンプサイクル側制御器およびコンプレッサ駆動回路が運転待機時に消費する電力を極力カットでき、待機電力を低減することができる。
【００２４】
【発明の実施の形態】
本発明の第１実施例（請求項１、２に対応）を、図１〜図４に基づいて説明する。
【００２５】
給湯装置Ａは、図１、２に示す如く、コンプレッサ１、冷媒水熱交換器２の冷媒流路２１、膨張弁３、室外ファン４１を付設した空気熱交換器４、およびアキュムレータ（図示せず）を冷媒配管４２で環状に接続したヒートポンプサイクルＨと、給湯用の温水を貯える貯湯タンク５と、冷媒水熱交換器２の湯水流路２２とを湯水配管５１で接続し、途中に循環ポンプ６を介設した温水回路Ｗと、インバータ（コンプレッサ駆動回路）１１と、ヒートポンプサイクル側ＥＣＵ（ヒートポンプサイクル側制御器）７と、タンクユニット８０内に配されるタンク側ＥＣＵ（タンク側制御器）８と、リレー（通電制御器）７１とを備える。
【００２６】
なお、ヒートポンプサイクルＨの各部材、インバータ１１、循環ポンプ６、ヒートポンプサイクル側ＥＣＵ７、およびリレー７１を、ヒートポンプユニット７０内に配設している。
【００２７】
コンプレッサ１は、三相モータによって駆動され、アキュムレータから吸引した気相冷媒を臨界圧力以上に圧縮して吐出する。
この三相モータへ印加する電圧の周波数をインバータ１１で制御することにより回転数が決定され、コンプレッサ１の能力が増減する。なお、ヒートポンプサイクル側ＥＣＵ７からインバータ１１に目標コンプレッサ回転数が指示される。
【００２８】
冷媒水熱交換器２は、コンプレッサ１から吐出する冷媒（二酸化炭素）が流れる冷媒流路２１と、湯水が流れる湯水流路２２とを有する。そして、コンプレッサ１より吐出し、冷媒流路２１を流れる高温冷媒（ホットガス）が、貯湯タンク５から流出した湯水に放熱し、湯水が昇温する。
【００２９】
なお、冷媒水熱交換器２の湯水流路２２の入口側、出口側には、それぞれ、給水温度Ｔｗｉを検出する給水温度センサ６１、沸き上げ温度Ｔｗｏを検出する沸き上げ温度センサ６２が配されている。また、冷媒流路２１の出口側、入口側には、ぞれぞれ、出口側冷媒温度Ｔｒｏを検出する出口側冷媒温度センサ６３、入口側冷媒温度Ｔｃｏを検出する入口側冷媒温度センサ６４が配されている。
【００３０】
更に、空気熱交換器４の入口側、空気取込口側、出口側には、それぞれ、冷媒入口温度Ｔｅｉを検出する冷媒入口温度センサ４３、外気温度Ｔａｍを検出する外気温度センサ４４、フロスト温度Ｔｆを検出するフロスト温度センサ４５が配されている。
【００３１】
膨張弁３は、ステッピングモータ（図示せず）により駆動される弁体（図示せず）を有し、ステッピングモータへの通電量に応じて弁開度をリニアに可変することができる。
空気熱交換器４は、膨張弁３の通過によって膨張して減圧した冷媒を、室外ファン４１によって送風される外気と熱交換（大気吸熱）して蒸発させる。なお、蒸発した冷媒は、アキュムレータを経てコンプレッサ１に戻る。
なお、ヒートポンプサイクル側ＥＣＵ７から室外ファン４１に目標回転数が指示される。
【００３２】
空気熱交換器４より流出する冷媒を気液分離するためにアキュムレータが設けられ、気相冷媒がコンプレッサ１に送られる。
そして、コンプレッサ１により、高温高圧に圧縮された冷媒は、冷媒水熱交換器２の冷媒流路２１内を流れ、冷媒水熱交換器２の湯水流路２２内を冷媒の流れと逆方向に流れる湯水を加熱する。
【００３３】
湯水配管５１は、貯湯タンク５の下部に設けられた湯水出口５２と、上部に設けられた湯水入口５３との間を接続する配管である。
なお、運転中、貯湯タンク５内の湯水は、循環ポンプ６により湯水出口５２から出て湯水配管５１を介して、冷媒水熱交換器２の湯水流路２２を通り、湯水入口５３から貯湯タンク５内に戻る。
【００３４】
沸き上げ運転中、ヒートポンプサイクル側ＥＣＵ７は、給水温度センサ６１、沸き上げ温度センサ６２、出口側冷媒温度センサ６３、冷媒入口温度センサ４３、外気温度センサ４４、フロスト温度センサ４５、および入口側冷媒温度センサ６４の各出力に基づいて、インバータ１１、室外ファン４１、循環ポンプ６、および膨張弁３を制御し、目標沸き上げ温度の温水を貯湯タンク５内に貯湯する。
なお、ヒートポンプサイクル側ＥＣＵ７への作動用電力は、リレー７１の常開接点を介して供給される。
【００３５】
タンク側ＥＣＵ８には、作動用電力が常時供給されている。このタンク側ＥＣＵ８は、ヒートポンプサイクル側ＥＣＵ７に作動用電力が供給されている間は、ヒートポンプサイクル側ＥＣＵ７と通信が可能である。また、８１はリモコンである。
【００３６】
更に、タンク側ＥＣＵ８には、タンクユニット８０側の外気温度を検出する外気温センサ８２、貯湯タンク５の給水側の温水温度を検出する給水温度センサ８３、および貯湯タンク５の温水の水量を検出する湯量センサ８４が接続されている。なお、ヒートポンプサイクル側ＥＣＵ７が作動している間は、外気温センサ８２および給水温度センサ８３の検出値は無効とされる。
【００３７】
つぎに、給湯装置Ａの作動を、図３および図４に示すフローチャートに基づいて説明する。
【００３８】
運転待機中（運転停止中も含む）で、リレー７１の常開接点が開いている給湯装置Ａに、リモコン８１により運転開始指示を出した場合には、先ず、タンク側ＥＣＵ８がリレー７１へ通電を行ってリレー７１の常開接点を閉成し、ヒートポンプサイクル側ＥＣＵ７等に作動用電力を供給する。つぎに、ヒートポンプサイクル側ＥＣＵ７が各制御変数やタイマを初期化する（ステップｓ１）。
【００３９】
また、ステップＳ５からの移行によりヒートポンプサイクル側ＥＣＵ７に作動用電力が供給されて沸き上げ運転に移行した場合には、ヒートポンプサイクル側ＥＣＵ７が各制御変数やタイマを初期化する（ステップｓ１）。
【００４０】
ステップｓ２で、各センサから出力されるセンサ信号をヒートポンプサイクル側ＥＣＵ７が取り込み、入力処理を行う。
【００４１】
ステップｓ３において、各センサからのセンサ信号に基づいて、ヒートポンプサイクル側ＥＣＵ７が沸き上げ判定を行い、沸き上げ運転を行う（沸き上げ運転の継続も含む）。ＹＥＳの場合にはステップｓ４に進み、沸き上げ運転を行わない（沸き上げ運転の終了も含む）ＮＯの場合にはステップｓ８に進む。
【００４２】
ステップｓ４において、温度差ΔＴに基づいて、ヒートポンプサイクル側ＥＣＵ７が膨張弁制御を行う。
ΔＴ＝出口側冷媒温度Ｔｒｏ−給水温度Ｔｗｉ
【００４３】
ステップｓ５において、沸き上げ温度差ΔｄＴに基づいて、ヒートポンプサイクル側ＥＣＵ７がポンプ制御を行う。
ΔｄＴ＝目標沸き上げ温度Ｔｐ−沸き上げ温度Ｔｗｏ
【００４４】
ステップｓ６において、ヒートポンプサイクル側ＥＣＵ７がファン制御を行う。
ステップｓ７で、ヒートポンプサイクル側ＥＣＵ７がコンプレッサ制御を行い、ステップｓ２に戻る。
【００４５】
ステップｓ８において、通信により、ヒートポンプサイクル側ＥＣＵ７が、リレー７１への通電を遮断する様にタンク側ＥＣＵ８に指示する。これにより、タンク側ＥＣＵ８がリレー７１への通電を遮断し、リレー７１がオフ状態になる。
【００４６】
リレー７１がオフすると、常開接点が開成し、ヒートポンプサイクル側ＥＣＵ７およびインバータ１１への作動用電力の供給が絶たれる。これにより、給湯装置Ａが運転待機状態になる。
【００４７】
図４に示すステップＳ１において、外気温センサ８２のセンサ出力に基づいてタンク側ＥＣＵ８がタンクユニット８０側の外気温度を検出する。また、このステップＳ１では、タンク側ＥＣＵ８が、給水温度センサ８３のセンサ出力に基づいて貯湯タンク５の給水側の温水温度を検出し、湯量センサ８４のセンサ出力に基づいて貯湯タンク５の温水の水量を検出する。
【００４８】
ステップＳ２において、貯湯タンク５の給水側の温水温度および貯湯タンク５内の温水量に基づいて、タンク側ＥＣＵ８が沸き上げを行うか否かを判定し、沸き上げを行わない場合（ＮＯ）にはステップＳ３に進み、沸き上げを行う場合（ＹＥＳ）にはステップＳ５に進む。
【００４９】
具体的には、時間経過等により温水温度が判定温度以下に低下した場合や、温水使用により温水量が判定量以下に減った場合には、タンク側ＥＣＵ８が沸き上げ運転を行うと判定する。
【００５０】
ステップＳ３において、待機状態になってからの経過時間や各検出結果に基づいて、温水回路Ｗのエア抜き等の機器運転が必要であるか否かをタンク側ＥＣＵ８が判定し、エア抜き等の機器運転が必要でない場合（ＮＯ）にはステップＳ４に進み、エア抜き等の機器運転が必要である場合（ＹＥＳ）にはステップＳ６に進む。
【００５１】
なお、ステップＳ２、Ｓ３において、リモコン８１の操作により、沸き上げ運転やエア抜き等の機器運転を強制的に行うこともできる。
【００５２】
ステップＳ４において、タンクユニット８０側の外気温度が４℃以下であるか否かをタンク側ＥＣＵ８が判別し、４℃を越える場合（ＮＯ）には、リレーオフ状態を継続した状態でステップＳ１に戻り、４℃以下である場合（ＹＥＳ）にはステップＳ８に進む。
【００５３】
ステップＳ５において、タンク側ＥＣＵ８がリレー７１へ通電を行ってリレー７１の常開接点を閉成する。これにより、ヒートポンプサイクル側ＥＣＵ７等に作動用電力が供給され、図３の沸き上げ運転に移行する。
【００５４】
ステップＳ６において、タンク側ＥＣＵ８がリレー７１へ通電を行ってリレー７１の常開接点を閉成する。これにより、ヒートポンプサイクル側ＥＣＵ７等に作動用電力が供給され、ヒートポンプサイクル側ＥＣＵ７がエア抜き運転（ステップＳ７）を行い、エア抜き運転の完了後にステップＳ１０に進む。
【００５５】
ステップＳ８において、タンク側ＥＣＵ８がリレー７１へ通電を行ってリレー７１の常開接点を閉成する。これにより、ヒートポンプサイクル側ＥＣＵ７等に作動用電力が供給され、ヒートポンプサイクル側ＥＣＵ７が凍結防止運転（ステップＳ９）を行い、凍結防止運転の完了後にステップＳ１０に進む。
【００５６】
ステップＳ１０において、タンク側ＥＣＵ８がリレー７１への通電を停止し、ステップＳ１に戻る。
なお、リレー７１への通電停止により常開接点が開成し、ヒートポンプサイクル側ＥＣＵ７およびインバータ１１への作動用電力の供給が停止する。
【００５７】
本実施例の給湯装置Ａは、以下の利点を有する。
〔ア〕給湯装置Ａは、運転待機時において、沸き上げ運転等を行う必要が無い場合（下記に示す）には、タンク側ＥＣＵ８がリレー７１をオフ状態にして、ヒートポンプサイクル側ＥＣＵ７およびインバータ１１への電力供給を停止する構成である。このため、運転待機中の待機電力を大幅に低減（約２０Ｗ→１Ｗ以下）することができる。
【００５８】
・タンク側ＥＣＵ８に接続した外気温センサ８２により検出される外気温度が４℃を越える（凍結防止運転を行う必要がない）場合。
・貯湯タンク５の給水側の温水温度を検出する給水温度センサ８３により検出される給水温度が判定温度を越える（沸き上げ運転を行う必要がない）場合。
・貯湯タンク５の湯量を検出する湯量センサ８４により検出される温水の水量が判定量を越える（沸き上げ運転を行う必要がない）場合。
【００５９】
〔イ〕給湯装置Ａは、運転待機時において、リレー７１をオフ状態にして、ヒートポンプサイクル側ＥＣＵ７およびインバータ１１への電力供給が停止していても、常時通電されているタンク側ＥＣＵ８により貯湯タンク５のタンク状況（湯量や給水温度等）を監視し、必要な際には、ヒートポンプサイクル側ＥＣＵ７およびインバータ１１へ電力供給して沸き上げ運転等を行う構成である。
このため、温水回路Ｗの凍結、給湯温度の低下、または湯量不足等の不具合は起きない。
【００６０】
つぎに、本発明の第２実施例（請求項１、３に対応）を、図３〜図６（図２も参照する）に基づいて説明する。
【００６１】
給湯装置Ｂは、以下の点が給湯装置Ａと異なる。
図５に示す如く、タンク側ＥＣＵ８には、貯湯タンク５の給水側の温水温度を検出する給水温度センサ８３および貯湯タンク５の温水の水量を検出する湯量センサ８４が接続されている。なお、ヒートポンプサイクル側ＥＣＵ７が作動している間は、給水温度センサ８３の検出値は無効とされる。
また、タンクユニット８０側の外気温度を検出する外気温センサは配設されていない。
【００６２】
タンク側ＥＣＵ８には、作動用電力が常時供給されている。このタンク側ＥＣＵ８は、ヒートポンプサイクル側ＥＣＵ７に作動用電力が供給されている間は、ヒートポンプサイクル側ＥＣＵ７と通信が可能である。
【００６３】
給湯装置Ｂは、図６に示す様に、沸き上げ運転の開始から一定時間（例えば２時間）が経過する（沸き上げ運転中）と、外気温度センサ４４（図２参照）のセンサ出力に基づいてヒートポンプサイクル側ＥＣＵ７が検出する外気温度Ｔａｍ（２時間経過後のもの）のデータを、ヒートポンプサイクル側ＥＣＵ７が通信によりタンク側ＥＣＵ８に送り、タンク側ＥＣＵ８が１日の外気温度Ｔａｍｄａｙとしてメモリ８５に格納する。
【００６４】
給湯装置Ｂも図３、図４のフローチャートに準じて作動する。
但し、以下のステップが異なる。
図４に示すステップＳ１において、タンク側ＥＣＵ８がメモリ８５に格納された外気温度Ｔａｍｄａｙを読み出す。なお、このステップＳ１において、温水温度や温水量については、タンク側ＥＣＵ８が、給水温度センサ８３のセンサ出力、および湯量センサ８４のセンサ出力に基づいて検出する。
【００６５】
ステップＳ４において、メモリ８５から読み出した外気温度Ｔａｍｄａｙが４℃以下であるか否かをタンク側ＥＣＵ８が判別し、４℃を越える場合（ＮＯ）には、リレーオフ状態を継続した状態でステップＳ１に戻り、４℃以下である場合（ＹＥＳ）にはステップＳ８に進む。
【００６６】
本実施例の給湯装置Ｂは、以下の利点を有する。
〔ウ〕外気温センサがタンク側ＥＣＵ８側に配設されていない給湯装置Ｂは、沸き上げ運転の開始から一定時間（２時間）経過後の沸き上げ運転中に検出される外気温度のデータを、通信によりタンク側ＥＣＵ８へ送り、タンク側ＥＣＵ８のメモリ８５に外気温度Ｔａｍｄａｙとして記憶させておき、運転待機時のステップＳ４で凍結防止運転を行うか否かの判定に用いる構成である。
【００６７】
このため、外気温センサがタンク側ＥＣＵ８側に配設されていなくても、温水回路Ｗの凍結防止を図りながら、運転待機中の待機電力を大幅に低減することができる。
なお、沸き上げ運転の開始から２時間後に外気温度センサ４４が検出する外気温度をメモリ８５に格納しているので凍結判別に適した温度データが得られる。
【００６８】
つぎに、本発明の第３実施例（請求項１、４に対応）を、図３、図４、図５、および図７（図２も参照する）に基づいて説明する。
【００６９】
給湯装置Ｃは、以下の点が給湯装置Ａと異なる。
図５に示す如く、タンク側ＥＣＵ８には、貯湯タンク５の給水側の温水温度を検出する給水温度センサ８３および貯湯タンク５の温水の水量を検出する湯量センサ８４が接続されている。
また、タンクユニット８０側の外気温度を検出する外気温センサは配設されていない。
【００７０】
タンク側ＥＣＵ８には、作動用電力が常時供給されている。このタンク側ＥＣＵ８は、ヒートポンプサイクル側ＥＣＵ７に作動用電力が供給されている間は、ヒートポンプサイクル側ＥＣＵ７と通信が可能である。
【００７１】
給湯装置Ｃは、図７に示す様に、沸き上げ運転の終了から一定時間（例えば１時間）が経過する（運転待機中）と、タンク側ＥＣＵ８がリレー７１に一時的に通電して、ヒートポンプサイクル側ＥＣＵ７およびインバータ１１に作動用電力を供給し、外気温度センサ４４が検出する外気温度のデータを通信によりタンク側ＥＣＵ８に送っている。
【００７２】
給湯装置Ｃも図３、図４のフローチャートに準じて作動する。
但し、以下のステップが異なる。
沸き上げ運転の終了（図３のステップｓ３でＮＯ）により、ステップｓ８に進んでリレー７１がオフし、図４の運転待機状態に移行する。
【００７３】
図４に示すステップＳ１において、外気温度Ｔａｍｄａｙがメモリ８５に格納されていればタンク側ＥＣＵ８がそれを読み出す。
給湯装置Ｃでは、沸き上げ運転の終了から一定時間（例えば１時間）が経過すると、タンク側ＥＣＵ８がリレー７１に一時的に通電する構成である。
【００７４】
一時通電の間、ヒートポンプサイクル側ＥＣＵ７およびインバータ１１に作動用電力が供給され、外気温度センサ４４が外気温度を検出し、そのデータが通信によりタンク側ＥＣＵ８に送られ、メモリ８５に格納される。
なお、リレー７１への一時通電時間は、外気温度センサ４４により外気温度が検出できてメモリ８５に格納可能な最低限の時間であれば良く、数秒〜数分で良い。
【００７５】
また、このステップＳ１において、温水温度や温水量については、タンク側ＥＣＵ８が、給水温度センサ８３のセンサ出力、および湯量センサ８４のセンサ出力に基づいて検出する。
【００７６】
ステップＳ２において、貯湯タンク５の給水側の温水温度および貯湯タンク５内の温水量に基づいて、タンク側ＥＣＵ８が沸き上げを行うか否かを判定し、沸き上げを行わない場合（ＮＯ）にはステップＳ３に進み、沸き上げを行う場合（ＹＥＳ）にはステップＳ５に進む。
【００７７】
なお、時間経過等により温水温度が判定温度以下に低下した場合や、温水使用により温水量が判定量以下に減った場合には、タンク側ＥＣＵ８が沸き上げ運転を行うと判定する。
【００７８】
ステップＳ３において、待機状態になってからの経過時間や各検出結果に基づいて、温水回路Ｗのエア抜き等の機器運転が必要であるか否かをタンク側ＥＣＵ８が判定し、エア抜き等の機器運転が必要でない場合（ＮＯ）にはステップＳ４に進み、エア抜き等の機器運転が必要である場合（ＹＥＳ）にはステップＳ６に進む。
なお、ステップＳ２、Ｓ３において、リモコン８１の操作により、沸き上げ運転やエア抜き等の機器運転を強制的に行うこともできる。
【００７９】
ステップＳ４において、メモリ８５から読み出した外気温度Ｔａｍｄａｙが４℃以下であるか否かをタンク側ＥＣＵ８が判別し、４℃を越える場合（ＮＯ）には、リレーオフ状態を継続した状態でステップＳ１に戻り、４℃以下である場合（ＹＥＳ）にはステップＳ８に進む。
なお、沸き上げ運転の終了直後で、メモリ８５に外気温度Ｔａｍｄａｙが格納されていない場合にはステップＳ１に戻る。
【００８０】
本実施例の給湯装置Ｃは、以下の利点を有する。
〔エ〕外気温センサがタンク側ＥＣＵ８側に配設されていない給湯装置Ｃは、沸き上げ運転の終了から一定時間（例えば１時間）が経過すると、タンク側ＥＣＵ８がリレー７１に一時的に通電し、外気温度センサ４４が検出する外気温度のデータを、通信によりタンク側ＥＣＵ８へ送り、タンク側ＥＣＵ８のメモリ８５に外気温度Ｔａｍｄａｙとして記憶させておき、ステップＳ４で凍結防止運転を行うか否かの判定に用いる構成である。
【００８１】
このため、外気温センサがタンク側ＥＣＵ８側に配設されていなくても、温水回路Ｗの凍結防止を図りながら、運転待機中の待機電力を大幅に低減することができる。
なお、沸き上げ運転の停止から１時間後に外気温度センサ４４が検出する外気温度をメモリ８５に格納しているので凍結判別に適した温度データが得られる。
【００８２】
本発明は、上記実施例以外に、つぎの実施態様を含む。
ａ．リレー７１を二個（インバータ１１への通電を制御するリレー、ヒートポンプサイクル側ＥＣＵ７への通電を制御するリレー）にし、コンプレッサ１の作動が不要な運転を行う場合には、タンク側ＥＣＵ８がインバータ１１への通電を行うリレーをオフにしておけば良い。
【００８３】
ｂ．上記各実施例では、循環ポンプ６をヒートポンプユニット７０側に配設しているが、タンクユニット８０側に配設しても良い。この場合には、４℃の判定値を低い温度にする。
【００８４】
ｃ．リレー７１をタンクユニット８０側に配設しても良いが、タンクユニット８０から電力線を延ばしてヒートポンプユニット７０に結線する必要がある。
【００８５】
ｄ．給湯装置Ｃにおいて、沸き上げ運転の終了から、タンク側ＥＣＵ８がリレー７１に一時的に通電する迄の時間を、下記に示す様に、目標沸き上げ温度が高い（凍結し難い）程、長くする様にしても良い（請求項５に対応）。
目標沸き上げ温度６５℃→１時間
目標沸き上げ温度９０℃→１．５時間
【図面の簡単な説明】
【図１】本発明の第１実施例に係る給湯装置のブロック図である。
【図２】その給湯装置の説明図である。
【図３】給湯装置の沸き上げ運転時のフローチャートである。
【図４】給湯装置の運転待機時のフローチャートである。
【図５】本発明の第２、第３実施例に係る給湯装置の要部ブロック図である。
【図６】本発明の第２実施例に係る給湯装置における外気温度の取得に関する説明図である。
【図７】本発明の第３実施例に係る給湯装置における外気温度の取得に関する説明図である。
【符号の説明】
Ａ〜Ｃ  給湯装置
Ｈ  ヒートポンプサイクル
Ｗ  温水回路（湯水回路）
１  コンプレッサ（冷媒圧縮機）
２  冷媒水熱交換器
３  膨張弁
４  空気熱交換器
５  貯湯タンク
６  循環ポンプ
７  ヒートポンプサイクル側ＥＣＵ（ヒートポンプサイクル側制御器）
８  タンク側ＥＣＵ（タンク側制御器）
１１  インバータ（コンプレッサ駆動回路）
２１  冷媒流路
２２  湯水流路
４２  冷媒配管
４３  冷媒入口温度センサ（センサ）
４４  外気温度センサ（センサ）
５１  湯水配管
６１  給水温度センサ（センサ）
６２  沸き上げ温度センサ（センサ）
７０  ヒートポンプユニット
７１  リレー（通電制御器）
８０  タンクユニット
８２  外気温センサ
８３  給水温度センサ
８５  メモリ
【図１】
2004198044.tif 000003
【図２】
2004198044.tif 000004
【図３】
2004198044.tif 000005
【図４】
2004198044.tif 000006
【図５】
2004198044.tif 000007
【図６】
2004198044.tif 000008
【図７】
2004198044.tif 000009